(57)【要約】【課題】本発明は、雷サージのような高周波成分を含む大電流を確実に流すことのできるスイッチ、分離器、および過電圧防護装置を提供することを目的とする。【解決手段】  本発明のスイッチは、電流を導く第１導通部と、第１導通部の一部に設けられた第１接点と、電流を導く第２導通部と、第２導通部の一部に第１接点と接触できるように設けられた第２接点と、第１接点と第２接点の接続状態を変更する可動部を備える。第１導通部と第２導通部とは、電流の向きが同じとなるように対向させた対向部分を有している。なお、第２導通部は、ループ状にすればよい。また、本発明の分離器は、本発明のスイッチと制御部とを備える。さらに、本発明の過電圧防護装置は、本発明の分離器とスイッチと直列に接続され、所定以上の過電圧が印加されると電流を流し始める過電圧防護部とを備える。【選択図】図９
2010108735.tif 000002
【特許請求の範囲】
【請求項１】
商用電源よりも高い周波成分を有する電流が流れた場合に、導通状態を維持する接点構造であって、
電流を導く第１導通部と、
前記第１導通部の一部に設けられた第１接点と、
ループ状であって、電流を導く第２導通部と、
前記第２導通部の一部に前記第１接点と接触できるように設けられた第２接点
を備え、
前記第１導通部と前記第２導通部とは、電流の向きが同じとなるように対向させた対向部分を有している
ことを特徴とする接点構造。
【請求項２】
商用電源よりも高い周波成分を有する電流が流れた場合に、導通状態を維持するスイッチであって、
電流を導く第１導通部と、
前記第１導通部の一部に設けられた第１接点と、
ループ状であって、電流を導く第２導通部と、
前記第２導通部の一部に前記第１接点と接触できるように設けられた第２接点と、
前記第１接点と前記第２接点の接続状態を変更する可動部
を備え、
前記第１導通部と前記第２導通部とは、電流の向きが同じとなるように対向させた対向部分を有している
ことを特徴とするスイッチ。
【請求項３】
雷サージ電流用のスイッチであって、
電流を導く第１導通部と、
前記第１導通部の一部に設けられた第１接点と、
ループ状であって、電流を導く第２導通部と、
前記第２導通部の一部に前記第１接点と接触できるように設けられた第２接点と、
前記第１接点と前記第２接点の接続状態を変更する可動部
を備え、
前記第１導通部と前記第２導通部とは、電流の向きが同じとなるように対向させた対向部分を有している
ことを特徴とするスイッチ。
【請求項４】
初期状態がＯＮ状態であるスイッチと、
前記スイッチに流れている電流が、主に商用電源によるものであることを検出した場合に、前記スイッチをＯＦＦ状態にする制御部と、
を備え、
前記スイッチが、
電流を導く第１導通部と、
前記第１導通部の一部に設けられた第１接点と、
電流を導く第２導通部と、
前記第２導通部の一部に前記第１接点と接触できるように設けられた第２接点と、
前記第１接点と前記第２接点の接続状態を変更する可動部
を有し、
前記第１導通部と前記第２導通部とは、互いに対向し、かつ、電流が同一方向に流れる部分を有している
ことを特徴とする分離器。
【請求項５】
請求項４記載の分離器と、
前記スイッチと直列に接続され、所定以上の過電圧が印加されると電流を流し始める過電圧防護部と、
を備えることを特徴とする過電圧防護装置。
【発明の詳細な説明】
【技術分野】
【０００１】
本発明は、高周波成分を有する電流を確実に流すための接点構造、スイッチ、分離器、過電圧防護装置に関する。
【背景技術】
【０００２】
雷の性質や過電圧防護技術については、非特許文献１に紹介されている。以下には、本発明を理解する上で必要な背景技術を簡単に説明する。図１に、雷によって生じる電圧または電流の変化の様子Ｓ（ｔ）を示す。縦軸は電圧または電流を示している。雷が直撃した場合には、一般に波高値が数十ｋＡの電流が流れる。また、誘導雷の場合には、波高値が数ｋＶの電圧が生じる。また、波頭長は１μ秒〜１０μ秒、波尾長は１０μ秒〜１０００μ秒である。
【０００３】
図２は、雷によって屋外の電力ケーブルに流れた電流（または電圧）から屋内の機器を守るための過電圧防護装置の例である。この過電圧防護装置９００は、屋外側のケーブルにつながる屋外端子９０２、９０３、屋内側のケーブルにつながる屋内端子９０４、９０５、屋外端子９０２と屋内端子９０４とをつなぐ導線９０６、屋外端子９０３と屋内端子９０５とをつなぐ導線９０７、スイッチ９１０、過電圧防護部９２０、制御部９３０から構成される。スイッチ９１０は、通常はＯＮ状態（導通状態）となっている。過電圧防護部９２０には、放電管やバリスタ、またはこれらを組み合わせたものが用いられる。
【０００４】
過電圧防護部９２０は、導線９０６と導線９０７の間に過電圧が加わっていないときは、電流を流さない（抵抗が大きい）。一方、雷などにより導線９０６と導線９０７の間に過電圧が加わると、過電圧防護部９２０は、電流を流す（抵抗が小さくなる）。制御部９３０は、商用電源の電流が導線９０６と導線９０７の間に流れないようにスイッチ９１０を制御する手段である。通常は、スイッチ９１０はＯＮ状態だが、過電圧防護部９２０があるので、導線９０６と導線９０７の間には電流は流れない。雷などにより導線９０６と導線９０７の間に過電圧が加わると、過電圧防護部９２０の抵抗が小さくなり、スイッチ９１０を介して、導線９０６と導線９０７の間に電流が流れる。過電圧防護装置９００は、このように屋内側の機器に過電圧が加わることを防ぐ。
【０００５】
ところが、雷によって電流が流れた過電圧防護部９２０は、導線９０６と導線９０７の間の電圧が下がっても（１００Ｖ程度になっても）、抵抗が低い状態が続くことがある。つまり、雷による過電圧の状態が終了した後に、商用電源の電流を流し続けてしまう。このような電流を、続流と呼ぶ。また、過電圧防護部９２０が壊れたときや、何らかの原因で漏電があったときに、商用電源の電流がスイッチ９１０を流れてしまうことがある。続流、故障、漏電などによって導線９０６と導線９０７の間に流れる電流は、商用電源によるものなので、継続的な５０Ｈｚまたは６０Ｈｚの交流であり、電圧は１００〜６００Ｖである。制御部９３０は、このような商用電源の性質を利用して、スイッチ９１０に流れている電流が商用電源か否かを判断する。そして、商用電源による電流の場合には、スイッチ９１０をＯＦＦ状態（遮断状態）にする。このように、スイッチ９１０と制御部９３０の組み合わせ（分離器）によって、続流、故障、漏電などによって導線９０６と導線９０７の間に電流が流れることを防いでいる。
【０００６】
図３は、単相三線式の場合の過電圧防護装置の機能構成例を示す図である。過電圧防護装置１５０は、導線９８１、９８２、９８３を介して、トランスの二次側コイル９５０に接続されている。過電圧防護装置１５０は、過電圧防護部１０１、１０３、分離器１１１、１１３、ギャップ式避雷素子８２０、導線８１１、８１２、８１３を備えている。分離器１１１、１１３の一端は、それぞれ導線９８１、９８３に接続され、分離器１１１、１１３の他端は、それぞれ過電圧防護部１０１、１０３の一端に接続されている。また、過電圧防護部１０１、１０３の他端、および導線９８２は、ギャップ式避雷素子８２０の一端に接続されている。そして、ギャップ式避雷素子８２０の他端は、接地されている。なお、分離器１１１、１１３と過電圧防護部１０１、１０３の配置は、入れ替えてもよい。分離器１１１、１１３は、導線９８１、９８３から接地側へ商用電源の電流が流れるのを防止する（切断する）。つまり、過電圧防護装置１５０は、中性極以外の相極ごとに独立な過電圧防護部１０１、１０３と、すべての相極に共通なギャップ式避雷素子８２０と、中性極以外の相極から接地側への商用電源電流を切断する分離器１１１、１１３とを備えている。このような構成によって、単相三線式のように３本の電力線がある場合にも、屋内側の機器に過電圧が加わることを防ぐことができる。
【非特許文献１】木島均著、「接地と雷防護」、初版、コロナ社刊、社団法人電子情報通信学会編、平成14年4月5日、pp.1-54．
【発明の開示】
【発明が解決しようとする課題】
【０００７】
スイッチ９１０は、雷サージ電流のような大電流を流せなければならない。ところが、雷が原因の大電流が流れたときにスイッチ９１０の接点が離れてしまい、過電圧から屋内の機器を保護できないことがあった。
【０００８】
本発明の目的は、雷サージのような高周波成分を含む大電流を確実に流すことのできる接点構造、スイッチ、分離器、および過電圧防護装置を提供することである。
【課題を解決するための手段】
【０００９】
本発明の接点構造は、電流を導く第１導通部と、第１導通部の一部に設けられた第１接点と、電流を導く第２導通部と、第２導通部の一部に第１接点と接触できるように設けられた第２接点を備える。第１導通部と第２導通部とは、電流の向きが同じとなるように対向させた対向部分を有している。なお、第２導通部は、ループ状にすればよい。そして、第１接点と第２接点の接続状態を変更する可動部も備えることで、本発明のスイッチを構成できる。
【００１０】
また、本発明の分離器は、初期状態がＯＮ状態である本発明のスイッチと、スイッチに流れている電流が主に商用電源によるものであることを検出した場合にスイッチをＯＦＦ状態にする制御部とを備える。さらに、本発明の過電圧防護装置は、本発明の分離器とスイッチと直列に接続され、所定以上の過電圧が印加されると電流を流し始める過電圧防護部とを備える。
【発明の効果】
【００１１】
本発明のスイッチによれば、第１導通部と第２導通部との対向部分で、ローレンツ力により、引き付け合う力が生じる。したがって、雷による電流のような高周波成分を含む大電流が流れても、接点同士が離れない。したがって、本発明のスイッチ、分離器、および過電圧防護装置は、雷サージのような高周波成分を含む大電流を確実に流すことができる。
【発明を実施するための最良の形態】
【００１２】
以下に、まず従来の問題点についての分析を行い、その後、本発明の実施例を示す。なお、同じ機能の構成部には同じ番号を付け、重複説明を省略する。
【００１３】
分析
まず、雷による大電流が流れたときにスイッチ９１０の接点が離れてしまう原因を分析する。図４は、スイッチ９１０の構造の例を示す図である。スイッチ９１０は、電流を導く第１導通部９１１、第１導通部９１１の一部に設けられた第１接点９１２、電流を導く第２導通部９１６、第２導通部９１６の一部に第１接点９１２と接触できるように設けられた第２接点９１７、第１接点９１２と第２接点９１７の接続状態を変更する可動部９１３を備える。可動部９１３は、例えばヒンジや回転軸のような回転自在な構造でもよいし、スライドする構造でもよく、可動の方法は問わない。
【００１４】
雷による電流の特徴は、図１を用いて説明したとおり、波頭長は１μ秒〜１０μ秒、波尾長は１０μ秒〜１０００μ秒である。波頭長や波尾長の時間から、雷による電流には、主に１ｋＨｚから１ＭＨｚの周波数成分がある。高い周波数の電流が金属中を流れる場合には、表皮効果という現象が生じる。また、表皮効果によって電流が金属の表面に集中する程度を表すパラメータに表皮効果の深さ（表皮の厚さ）δがあり、
【数１】
2010108735.tif 000003
と表現できる。
【００１５】
ここで、図５を用いて２つの導線に働く力について説明しておく。図５（Ａ）は、２つの導線に同じ方向に電流が流れた場合に働く力を示す図である。図５（Ｂ）は、２つの導線に異なる方向に電流が流れた場合に働く力を示す図である。まず、図５（Ａ）の場合を説明する。導線８０１に電流Ｉ１が流れると、磁界Ｈ１が生じる。磁界Ｈ１は、図５（Ａ）に示すように、図の表側から裏側に向かう方向である。導線８０２に、電流Ｉ１と同じ方向に電流Ｉ２が流れていると、電流Ｉ２と磁界Ｈ１によってローレンツ力が生じ、導線８０２は導線８０１側に引き寄せられる。同様に導線８０１は、電流Ｉ１と、電流Ｉ２が作る磁界Ｈ２によって生じるローレンツ力によって導線８０２側に引き寄せられる。つまり、電流が同じ向きに流れる場合、２つの導線は互いに引き寄せあう。
【００１６】
次に、図５（Ｂ）の場合を説明する。導線８０１に電流Ｉ１が流れると、磁界Ｈ１が生じる。磁界Ｈ１は、図５（Ｂ）に示すように、図の表側から裏側に向かう方向である。導線８０２に、電流Ｉ１と逆方向に電流Ｉ２が流れていると、電流Ｉ２と磁界Ｈ１によってローレンツ力が生じ、導線８０２は導線８０１から引き離される。同様に導線８０１は、電流Ｉ１と、電流Ｉ２が作る磁界Ｈ２によって生じるローレンツ力によって導線８０２から引き離される。つまり、電流が逆向きに流れる場合、２つの導線は互いに退けあう（反発しあう）。
【００１７】
次に、上述の表皮効果と２つの導線に働く力を、スイッチ９１０の接点の場合に当てはめてみる。図６は、表皮効果がほとんど生じていない場合に接点９１２から接点９１７に流れる電流の様子を示している。このときには、接点の９１２、９１７の真ん中を多くの電流が流れる。電流の周波数が高くなると、図７に示すように接点９１２から接点９１７に電流が流れる。そして、さらに周波数が高くなると、表皮効果によって、図８に示すように接点９１２と接点９１７の表面近傍を電流が流れるようになる。接点９１２の表面を流れる電流と接点９１７の表面を流れる電流とは、逆向きである。したがって、接点９１２と接点９１７とは互いに退けあう（反発しあう）。
【００１８】
つまり、雷によって生じる電流の周波数成分（１ｋＨｚ〜１ＭＨｚ）によって表皮効果が発生し、接点近傍で電流が逆向きに流れ、接点同士が反発する力が生じていると考えられる。また、２本の細い導線に同じ電流Iが流れた場合の導線間に生じる力は、
【数２】
2010108735.tif 000004
と表現できる。つまり、接点同士の反発力は、接点に流れる電流の２乗に比例する。したがって、ばね等を用いて機械的に接点同士を押えつけようとした場合、対応しなければならない電流が大きくなると、その２乗に比例した力を機械的な方法によって発生させなければならない。よって、雷サージ電流のような大電流を確実に流す方法を機械的な力のみで実現しようとすれば、スイッチ、分離器、過電圧防護装置を小型にできない。
【実施例１】
【００１９】
図９に、本発明のスイッチの機能構成例を示す。スイッチ２１０は、電流を導く第１導通部２１１と、第１導通部の一部に設けられた第１接点２１２と、ループ状であって、電流を導く第２導通部２１６と、第２導通部２１６の一部に第１接点と接触できるように設けられた第２接点２１７と、第１接点２１２と第２接点２１７の接続状態を変更する可動部２１３を備える。第１導通部２１１と第２導通部２１６とは、電流の向きが同じとなるように対向させた対向部分２１４、２１９を有している。第２導通部２１６は、ループ状であり、図面上では重なり合った図が示されているが、この部分は電気的には接触していない。可動部２１３は、例えばヒンジや回転軸のような回転自在な構造でもよいし、スライドする構造でもよく、可動の方法は問わない。
【００２０】
図１０は、第２導通部２１６側から電流が流れた場合の電流の流れを示す図である。第２導通部２１６側から電流が流れた場合、電流は、第２導通部２１６の対向部分２１９を流れた上で、第２接点２１７から第１接点２１２へと流れる。そして、電流は、第１導通部２１１の対向部分２１４を流れる。なお、第２導通部２１６がループ状なので、第１導通部２１１と第２導通部２１６とには、電流の向きが逆となる部分２１４、２１５も存在する。しかし、電流の向きが逆となる部分２１４、２１５の距離ｄ２は、電流の向きが同じとなるように対向させた対向部分２１４、２１９の距離ｄ１よりも大きい。図５を用いて説明したように、電流の向きが同じ場合、２つの導線間には互いに引き寄せあう力が生じる。一方、電流の向きが逆の場合、２つの導線間には反発しあう力が生じる。そして、それらの力は、導線間の距離に反比例する。つまり、距離ｄ２が距離ｄ１よりも大きいので、スイッチ２１０の第１導通部２１１と第２導通部２１６との間には、ローレンツ力によって、引き寄せあう力が生じる。また、ｘを長くすれば、対向する部分が長くなるので、ローレンツ力を大きくすることができる。
【００２１】
また、この引き寄せあう力は、理論的には電流の２乗に比例して大きくなる。つまり、接点同士が反発しあう力と同じである。したがって、電流の向きが同じとなるように対向させた対向部分２１４、２１９の長さと間隔を適宜設計することで、導通部同士が引き寄せあう力を、常に接点同士が反発しあう力よりも大きくすることができる。したがって、ばね等の機械的な対策が不要であり、小型のスイッチを実現することが容易となる。
【００２２】
このように、本発明のスイッチによれば、第１導通部と第２導通部との対向部分で、ローレンツ力により、引き付け合う力が生じる。したがって、雷による電流のような高周波成分を含む大電流が流れても接点同士が離れないので、大電流を確実に流すことができる。
【００２３】
本発明の接点構造は、電流を導く第１導通部２１１と、第１導通部の一部に設けられた第１接点２１２と、ループ状であって、電流を導く第２導通部２１６と、第２導通部２１６の一部に第１接点と接触できるように設けられた第２接点２１７で構成すればよい。また、初期状態がＯＮ状態であるスイッチ２１０と、スイッチ２１０に流れている電流が主に商用電源によるものであることを検出した場合にスイッチをＯＦＦ状態にする制御部９３０と組み合わせれば、分離器が構成できる。また、その分離器と、スイッチ２１０と直列に接続された過電圧防護部９２０と組み合わせれば、過電圧防護装置が構成できる。そして、これらの分離器と過電圧防護装置は、雷サージのような高周波成分を含む大電流を確実に流すことができる。
【００２４】
［シミュレーション］
次に、従来のスイッチ９１０と本発明のスイッチ２１０との違いを確認するためのシミュレーションの結果を示す。図１１は、シミュレーションで用いた従来のスイッチ９１０の構成を示す図である。各構成部の材質と寸法は以下のとおりである。
第１導通部９１１（銅）：幅３．０ｍｍ、厚さ６．０ｍｍ、長さ２３．０ｍｍ
第１接点９１２（銀）：幅４．０ｍｍ、厚さ１．０ｍｍ、長さ６．２ｍｍ
第２接点９１７（銀）：半径３．０ｍｍ、厚さ２．０ｍｍ
第２導通部９１６（真鍮）：幅８．０ｍｍ、厚さ１．０ｍｍ、長さ１６．０ｍｍ
なお、幅、厚さ、長さの方法は図１１に示した方向である。このような構成のスイッチに対して、５０Ｈｚで１０ｋＡの電流、１００ｋＨｚで３０ｋＡの電流、１００ｋＨｚで５０ｋＡの電流を流した。図１２は、シミュレーション結果を示す図である。ローレンツ力の方向は、上向きが正、下向きが負で示している。第２導通部９１６と第２接点９１７には、どの電流の場合も、下向きの力が加わる。また、第１接点９１２と第１導通部９１１には、どの電流の場合も、上向きの力が加わる。つまり、接点同士が離れる方向に力が加わることが分かる。
【００２５】
図１３は、シミュレーションで用いた本発明のスイッチ２１０の構成を示す図である。各構成部の材質と寸法は以下のとおりである。
第１導通部２１１（銅）：幅３．０ｍｍ、厚さ６．０ｍｍ、長さ２３．０ｍｍ
第１接点２１２（銀）：幅４．０ｍｍ、厚さ１．０ｍｍ、長さ６．２ｍｍ
第２接点２１７（銀）：半径３．０ｍｍ、厚さ２．０ｍｍ
第２導通部２１６（真鍮）：幅８．０ｍｍ、厚さ１．０ｍｍ
第１導通部２１１に近い部分の長さ２９．０ｍｍ
第１導通部２１１から遠い部分の長さ２０．０ｍｍ
第１導通部２１１に近い部分と遠い部分の間隔３．０ｍｍおよび６．０ｍｍ
なお、幅、厚さ、長さの方法は図１３に示した方向である。このような構成のスイッチに対して、５０Ｈｚで１０ｋＡの電流、１００ｋＨｚで３０ｋＡの電流、１００ｋＨｚで５０ｋＡの電流を流した。図１４は間隔が３．０ｍｍのとき（ループが小さいとき）のシミュレーション結果を示す図であり、図１５は間隔が６．０ｍｍのとき（ループが大きいとき）のシミュレーション結果を示す図である。どの電流の場合も、第２導通部２１６には上向きの力が、第２接点２１７には下向きの力が加わる。また、どの電流の場合も、第１接点２１２には上向きの力が、第１導通部２１１には下向きの力が加わる。つまり、２つの接点には反発しあう力が加わるが、２つの導通部には引き寄せあう力が加わることが分かる。図１５に示したように、ループを大きくした場合には、接点に働く反発する力の約５倍の力が導通部に働いている。したがって、雷による電流のような高周波成分を含む大電流が流れても、接点同士が離れない。なお、第２導通部２１６のループを大きくした場合の方が、第１導通部２１１と第２導通部２１６の引き寄せあう力が強くなっている。つまり、流れる電流の大きさを考慮してループの大きさを調整すれば、引き寄せあう力を調整できることが分かる。
【００２６】
［変形例］
これまでの説明では、第２導通部２１６をループ状にした例を示したが、この形状に限定する必要は無い。本発明の特徴は、導通部に同じ方向に電流を流す対向部分を持たせることで、導通部同士に生じる引き寄せあう力を接点同士が反発する力よりも強くすることにある。このような構成は、例えば、図１６に示す方法でも実現できる。図１６は、本発明のスイッチの変形例の構成を示す図である。スイッチ３１０は、電流を導く第１導通部３１１と、第１導通部３１１の一部に設けられた２つの第１接点３１２−１、３１２−２と、電流を導く第２導通部３１６と、第２導通部３１６の一部に第１接点３１２−１、３１２−２とそれぞれ接触できるように設けられた２つの第２接点３１７−１、３１７−２と、第１接点３１２−１、３１２−２と第２接点３１７−１、３１７−２の接続状態を変更する可動部を備える。そして、第１導通部３１１と第２導通部３１６には、電流の向きが同じとなるように対向させた対向部分３１４、３１９がある。
【００２７】
このように、２つの接点を用いることで、電流が第１導通部３１１と第２導通部３１６とに分かれ、同じ方向に分かれた電流がそれぞれ流れる。同じ方向に電流が流れるので、第１導通部３１１と第２導通部３１６の間には、ローレンツ力によって、引き寄せあう力が生じる。したがって、雷による電流のような高周波成分を含む大電流が流れても、接点同士が離れないので、大電流を確実に流すことができる。
【００２８】
また、スイッチ３１０を制御部９３０と組み合わせれば、分離器が構成できる。スイッチ３１０を過電圧防護部９２０と制御部９３０と組み合わせれば、過電圧防護装置が構成できる。そして、これらの分離器と過電圧防護装置は、雷サージのような高周波成分を含む大電流を確実に流すことができる。
【図面の簡単な説明】
【００２９】
【図１】雷によって生じる電圧または電流の変化の様子Ｓを示す図。
【図２】雷によって屋外の電力ケーブルに流れた電流（または電圧）から屋内の機器を守るための過電圧防護装置の例を示す図。
【図３】単相三線式の場合の過電圧防護装置の機能構成例を示す図。
【図４】従来のスイッチの構造の例を示す図。
【図５】２つの導線に働く力について説明する図。
【図６】表皮効果がほとんど生じていない場合に接点９１２から接点９１７に流れる電流の様子を示す図。
【図７】表皮効果が少し生じた場合に接点９１２から接点９１７に流れる電流の様子を示す図。
【図８】表皮効果が生じた場合に接点９１２から接点９１７に流れる電流の様子を示す図。
【図９】本発明のスイッチの機能構成例を示す図。
【図１０】第２導通部２１６側から電流が流れた場合の、本発明のスイッチの内部での電流の流れを示す図。
【図１１】シミュレーションで用いた従来のスイッチの構成を示す図。
【図１２】従来のスイッチの場合のシミュレーション結果を示す図。
【図１３】シミュレーションで用いた本発明のスイッチの構成を示す図。
【図１４】ループが小さいときの本発明のスイッチの場合のシミュレーション結果を示す図。
【図１５】ループが大きいときの本発明のスイッチの場合のシミュレーション結果を示す図。
【図１６】本発明のスイッチの変形例の構成を示す図。
【符号の説明】
【００３０】
１０１、１０３、９２０  過電圧防護部
１１１、１１３  分離器
１５０、９００  過電圧防護装置
２１０、３１０、９１０  スイッチ
２１１、３１１、９１１  第１導通部
２１２、３１２、９１２  第１接点
２１３、３１３、９１３  可動部
２１４、２１９、３１４、３１９  対向部分
２１６、３１６  第２導通部
２１７、３１７、９１７  第２接点
８０１、８０２、８１１、８１２、８１３  導線
９０６、９０７、９８１、９８２、９８３  導線
８２０  ギャップ式避雷素子
９０２、９０３  屋外端子
９０４、９０５  屋内端子
９３０  制御部
９５０  二次側コイル
【図１】
2010108735.tif 000005
【図２】
2010108735.tif 000006
【図３】
2010108735.tif 000007
【図４】
2010108735.tif 000008
【図５】
2010108735.tif 000009
【図６】
2010108735.tif 000010
【図７】
2010108735.tif 000011
【図８】
2010108735.tif 000012
【図９】
2010108735.tif 000013
【図１０】
2010108735.tif 000014
【図１２】
2010108735.tif 000015
【図１４】
2010108735.tif 000016
【図１５】
2010108735.tif 000017
【図１６】
2010108735.tif 000018
【図１１】
2010108735.tif 000019
【図１３】
2010108735.tif 000020